(57)【要約】【課題】特定区域内で情報処理端末自体の動作を所望の状態にして特定区域における所望の環境を提供する制御装置、制御システム、制御方法、および情報処理端末自体の動作が制御装置により所望の状態に置かれる情報処理端末を提供する。【解決手段】上記目的を達成する本発明の制御装置は、近距離無線通信手段を備えた情報処理端末の動作を制御する制御装置であって、上記情報処理端末と近距離無線通信可能な所定のエリア内に設置された外部通信機器を介して、上記情報処理端末に情報処理端末の動作を制御する制御信号を発信する制御信号発信手段を備え、上記制御信号発信手段は、上記制御信号を受信中の上記情報処理端末の動作を該制御信号に応じて制御する上記制御信号を発信する、ことを特徴とする。【選択図】図１
2008236318.tif 000002
【特許請求の範囲】
【請求項１】
近距離無線通信手段を備えた情報処理端末の動作を制御する制御装置であって、
前記情報処理端末と近距離無線通信可能な所定のエリア内に設置された外部通信機器を介して、前記情報処理端末に当該情報処理端末の動作を制御する制御信号を発信する制御信号発信手段を備え、
前記制御信号発信手段は、前記制御信号を受信中の前記情報処理端末の動作を該制御信号に応じて制御する前記制御信号を発信する、ことを特徴とする制御装置。
【請求項２】
前記制御信号発信手段は、前記情報処理端末の通信処理動作を制御する制御信号を発信する、ことを特徴とする請求項１記載の制御装置。
【請求項３】
前記制御信号発信手段は、前記情報処理端末の所定の通信動作を停止する制御信号を発信する、ことを特徴とする請求項１又は２記載の制御装置。
【請求項４】
前記制御信号発信手段は、通信回線を介して特定の通信先に通信することを前記情報処理端末に許可する制御信号を発信する、ことを特徴とする請求項１から３のうちいずれか１項記載の制御装置。
【請求項５】
前記制御信号は、前記特定の通信先にアクセスする情報を含むものである、ことを特徴とする請求項４記載の制御装置。
【請求項６】
前記制御信号発信手段は、前記情報処理端末の電源を切る制御信号を発信する、ことを特徴とする請求項１から５のうちいずれか１項記載の制御装置。
【請求項７】
前記制御信号発信手段は、前記情報処理端末である携帯電話に対して、前記外部通信機器を介して前記制御信号を発信する、ことを特徴とする請求項１から６のうちいずれか１項記載の制御装置。
【請求項８】
前記制御信号発信手段は、前記情報処理端末に備えられた、前記近距離無線通信手段であるＲＦＩＤタグに対して、前記外部通信機器であるＲＦＩＤリーダ／ライタを介して、前記制御信号を発信する、ことを特徴とする請求項１から７のうちいずれか１項記載の制御装置。
【請求項９】
所定のエリア内に設置された外部通信機器と近距離無線通信を行う近距離無線通信手段を備えた携帯型の情報処理端末であって、
前記外部通信機器から発信された、情報処理端末自体の動作を制御する制御信号を検出する制御信号検出手段と、
前記制御信号検出手段にて検出された制御信号を受信中であるときには、該制御信号に応じて前記情報処理端末自体の動作を制御する動作制御手段と、を備えたことを特徴とする情報処理端末。
【請求項１０】
近距離無線通信手段を備えた情報処理端末を制御する制御装置と、前記情報処理端末と近距離無線通信を行う所定のエリア内に設置された外部通信機器と、を有し、
前記制御装置は、
前記外部通信機器から前記情報処理端末の動作を制御する制御信号を発信させる制御信号発信手段を備え、
前記制御信号発信手段は、前記制御信号を受信中の前記情報処理端末の動作を該制御信号に応じて制御する前記制御信号を発信する、ことを特徴とする情報処理端末制御システム。
【請求項１１】
近距離無線通信手段を備えた情報処理端末と、この情報処理端末を制御する制御装置と、前記情報処理端末と近距離無線通信を行う所定のエリア内に設置された外部通信機器と、を有し、
前記制御装置は、
前記外部通信機器から、前記情報処理端末の動作を制御する制御信号を発信させる制御信号発信手段を備え、
前記情報処理端末は、
前記外部通信機器から発信された、前記制御信号を検出する制御信号検出手段と、
前記制御信号検出手段にて検出された制御信号を受信中であるときには、該制御信号に応じて前記情報処理端末自体の動作を制御する動作制御手段と、を備えたことを特徴とする情報処理端末制御システム。
【請求項１２】
近距離無線通信手段を備えた情報処理端末と、この情報処理端末を制御する制御装置と、前記情報処理端末と近距離無線通信を行う所定のエリア内に設置された外部通信機器と、を有する情報処理端末制御システムによる前記情報処理端末の制御方法であって、
前記制御装置は、
前記外部通信機器から、前記情報処理端末の動作を制御する制御信号を発信させる制御信号発信し、
前記情報処理端末は、
前記外部通信機器から発信された、前記制御信号を検出して、
前記制御信号を受信中であるときには、該制御信号に応じて前記情報処理端末自体の動作を制御する、ことを特徴とする情報処理端末制御システムによる前記情報処理端末の制御方法。
【請求項１３】
近距離無線通信手段を備えた情報処理端末の動作を制御する制御装置に、
前記情報処理端末と近距離無線通信を行う所定のエリア内に設置された外部通信機器から、前記情報処理端末の動作を制御する制御信号を発信させる制御信号発信手段、を実現するためプログラムであり、
前記制御信号発信手段は、前記制御信号を受信中の前記情報処理端末の動作を該制御信号に応じて制御する制御信号を発信する、ことを特徴とするプログラム。
【発明の詳細な説明】
【技術分野】
【０００１】
本発明は、近距離無線通信手段を備えた情報処理端末、および、その情報処理端末の動作を制御する制御装置に関する。
【背景技術】
【０００２】
近年、情報処理端末の一つである携帯電話が急速に普及し、単なる通話機能だけではなく、例えば、インターネット検索機能やインターネット上のコンテンツにアクセスして、コンテンツ情報の配信を受ける機能を搭載した携帯電話も普及している。
【０００３】
一方、携帯電話の普及に伴い、電車内等公共交通機関や公共施設での携帯電話の電源切断やマナーモードへの設定は基本的なルールとされている。しかし、それらの設定は個人の自主性に任されており、徹底することは困難な状況にある。
【０００４】
そこで、電車内等公共交通機関や公共施設などの公共性の高い場所（以下、特定区域という）での使用が制限される動作制限機能を有する携帯電話やその携帯電話の動作制限方法が提案されている（例えば、特許文献１、２参照）。
【０００５】
特許文献１に開示された技術によれば、携帯電話に近距離無線通信可能なＲＦＩＤ（Ｒａｄｉｏ  Ｆｒｅｑｕｅｎｃｙ  ＩＤｅｎｔｉｆｉｃａｔｉｏｎ）タグを搭載し、特定区域の出入り口に設けたＲＦＩＤリーダで、ＲＦＩＤタグに書き込まれている携帯電話の識別情報を読み取る。次に、ＲＦＩＤリーダを管理している管理装置が、その識別情報を携帯電話の基地局のコンピュータに無線通信にて送信する。基地局のコンピュータでは、識別情報ごとにデータベースで管理しており、携帯電話の使用者が特定区域に入ると、基地局では、その使用者の携帯電話への発信規制を行う。これにより、使用者が特定区域に入っても、着信音を鳴らさずに済む。
【０００６】
しかしながら、基地局側で発信規制を行う場合、管理装置と基地局との間で識別情報のやりとりをするために、設備の構成が複雑になるという問題が生じる。
【０００７】
また、特許文献２に開示された技術によれば、携帯電話に近距離無線通信可能な非接触ＩＣ（Ｉｎｔｅｇｒａｔｅｄ  Ｃｉｒｃｕｉｔ）カードを搭載しており、使用者が、特定区域の出入り口に設けられた非接触ＩＣカードリーダを通過すると、自動的に特定区域では、携帯電話の使用が制限される。
【０００８】
しかしながら、使用者が携帯電話の電源を切った状態で、特定区域に入場し、その後、使用者が携帯電話の電源をオンした場合、この携帯電話には動作制限をかけることができなくなるという問題が生じてしまう。
【０００９】
ところで、特定区域に入場すると、その区域内のみ専用のコンテンツにアクセス可能とする携帯電話へのサービスの提供方法が提案されている（例えば、特許文献３）。
【００１０】
特許文献３に開示された技術によれば、携帯電話に近距離無線通信可能な装置を搭載しており、使用者が、特定区域の出入り口を通過すると、専用のコンテンツにアクセスするための、アクセス識別情報やＵＲＬ（Ｕｎｉｆｏｒｍ  Ｒｅｓｏｕｒｃｅ  Ｌｏｃａｔｏｒ）などのアクセス情報が携帯電話内の装置に送信される。これにより、特定区域へ入場した場合のみ、専用のコンテンツにアクセスが可能となる。
【００１１】
しかしながら、使用者がもともと携帯電話の電源を切って特定区域に入場すると、入り口を通過するときに発信装置と携帯電話との間で近距離無線通信が行われない。その後、使用者が携帯電話の電源をオンしても、上記アクセス情報が受信できていないため、所定のサービスの提供を受けることができなくなるという問題が生じる。
【００１２】
【特許文献１】特開２００５−０３３６４８号公報
【特許文献２】特開２００６−１４０９７５号公報
【特許文献３】特開２００５―１４９３０３号公報
【発明の開示】
【発明が解決しようとする課題】
【００１３】
本発明の目的は、上記事情に鑑み、特定区域内で情報処理端末自体の動作を所望の状態にして特定区域における所望の環境を提供する制御装置、制御システム、および制御方法を提供することにある。また、本発明の他の目的は、情報処理端末自体の動作が制御装置により所望の状態に置かれる情報処理端末を提供することにある。
【課題を解決するための手段】
【００１４】
上記目的を達成する本発明の制御装置は、
近距離無線通信手段を備えた情報処理端末の動作を制御する制御装置であって、
上記情報処理端末と近距離無線通信可能な所定のエリア内に設置された外部通信機器を介して、上記情報処理端末に当該情報処理端末の動作を制御する制御信号を発信する制御信号発信手段を備え、
上記制御信号発信手段は、上記制御信号を受信中の上記情報処理端末の動作をその制御信号に応じて制御する上記制御信号を発信する、ことを特徴とする。
【００１５】
本発明の制御装置によれば、上記制御信号発信手段は、所定のエリア内に設置された、上記情報処理端末と近距離無線通信可能な外部通信機器を介して、上記情報処理端末に当該情報処理端末の動作を制御する制御信号を発信する手段を備え、上記制御信号を受信中の上記情報処理端末の動作をその制御信号に応じて制御する上記制御信号を発信する。
【００１６】
これにより、上記制御信号発信手段にて上記制御信号を所定のエリア内で発信すると、その所定のエリア内で制御信号を受信中の上記情報処理端末の動作を所望の状態にして特定区域における所望の環境を提供することができる。
【００１７】
ここで、上記制御信号発信手段は、上記情報処理端末の通信処理動作を制御する制御信号を発信する、ことが好ましい。
【００１８】
上記構成によれば、上記制御信号発信手段は、上記情報処理端末の通信処理動作を制御する制御信号を発信する。すると、上記情報処理端末では、制御信号受信中は、通信処理動作が制御される状態になる。これにより、特定区域において通信処理動作が制御された環境を提供することができる。
【００１９】
また、上記制御信号発信手段は、上記情報処理端末の所定の通信動作を停止する制御信号を発信する、ことが好ましい。
【００２０】
上記構成によれば、上記制御信号発信手段は、上記情報処理端末の所定の通信動作を停止する制御信号を発信する。すると、上記情報処理端末では、制御信号受信中は、所定の通信動作が停止された状態になる。これにより、特定区域において所定の通信動作が停止された環境を提供することができる。
【００２１】
また、上記制御信号発信手段は、通信回線を介して特定の通信先に通信することを上記情報処理端末に許可する制御信号を発信する、ことが好ましい。
【００２２】
上記構成によれば、上記制御信号発信手段は、通信回線を介して特定の通信先に通信することを上記情報処理端末に許可する制御信号を発信する。すると、上記情報処理端末では、制御信号受信中は、通信回線を介して特定の通信先に通信することができる。これにより、上記情報処理端末の使用者は、例えば、通信が制限されている場合であっても、通信回線を介して特定の通信先である専用コンテンツにアクセスすることができる。
【００２３】
また、上記構成にすることにより、専用コンテンツに付加価値を付けられる。例えば、公共交通機関の車内ではその車両の駅ごとの到着時刻や遅れ等を配信でき、また、コンサート会場では、今演奏している曲名等、そこにいる人だけが共有できる情報が配信できるためである。
【００２４】
上記構成にすることにより、新たなビジネスチャンスを生み出せる可能性がある。その理由は、所定のエリア内でのみ配信可能な専用コンテンツは、そこに行かなければ入手できない、いわゆるプレミア情報であるためである。
【００２５】
ここで、上記制御信号は、上記特定の通信先にアクセスする情報を含むものである、ことが好ましい。
【００２６】
これにより、上記特定の通信先にアクセスする情報として、例えば、専用のコンテンツにアクセスするための、パスワードやＵＲＬなどのアクセス情報であると、使用者は、手入力する手間が省ける。
【００２７】
また、上記制御信号発信手段は、上記情報処理端末の電源を切る制御信号を発信する、ことが好ましい。
【００２８】
上記構成によれば、上記制御信号発信手段は、上記情報処理端末の電源を切る制御信号を発信する。すると、上記情報処理端末では、制御信号受信中は、上記情報処理端末の電源が切られた状態が維持される。
【００２９】
また、上制御信号発信手段は、上記情報処理端末である携帯電話に対して、上記外部通信機器を介して上記制御信号を発信する、ことが好ましい。
【００３０】
上記情報処理端末が携帯電話であると、所定のエリア内で制御信号受信中は、例えば、携帯電話をマナーモードに設定し、着信音や振動音を鳴らさずに済み、他人に迷惑をかけずに済む。
【００３１】
また、携帯電話にまつわるマナーの向上に貢献できることが期待される。その理由は、制御信号によって携帯電話が自動的に発信規制モードに移行したり、携帯電話の電源を切断するためである。特に、携帯電話の使用が制限される公共交通機関や医療機関での活用に効果がある。
【００３２】
また、上記制御信号発信手段は、上記情報処理端末に備えられた、上記近距離無線通信手段であるＲＦＩＤタグに対して、上記外部通信機器であるＲＦＩＤリーダ／ライタを介して、上記制御信号を発信する、ことが好ましい。
【００３３】
上記構成によれば、上記情報処理端末に備えられたＲＦＩＤタグに対して、上記外部通信機器であるＲＦＩＤリーダ／ライタを介して、上記制御信号を発信する。すると、ＲＦＩＤタグで受信する制御信号に応じて、上記情報処理端末は制御される。ＲＦＩＤリーダ／ライタは設置が容易であり、またＲＦＩＤタグを携帯電話に内蔵した携帯電話も普及してきており、システムの構成が容易となる。
【００３４】
ここで、上記目的を達成する本発明の情報処理端末は、
所定のエリア内に設置された外部通信機器と近距離無線通信を行う近距離無線通信手段を備えた携帯型の情報処理端末であって、
上記外部通信機器から発信された、情報処理端末自体の動作を制御する制御信号を検出する制御信号検出手段と、
上記制御信号検出手段にて検出された制御信号を受信中であるときには、その制御信号に応じて上記情報処理端末自体の動作を制御する動作制御手段と、を備えたことを特徴とする。
【００３５】
上記構成によれば、制御信号検出手段にて、上記情報処理端末の動作を制御する制御信号を検出し、動作制御手段にて、上記制御信号検出手段にて検出された制御信号を上記エリア内で受信中であるときには、その制御信号に応じて情報処理端末自体の動作を制御する。
【００３６】
これにより、例えば、上記制御信号検出手段にて、情報処理端末自体の動作制限を行わせる制御信号を検出すれば、動作制御手段は、制御信号受信中は、所定のエリア内で情報処理端末自体の動作を制限する。また、上記制御信号検出手段にて、専用のコンテンツ情報の配信の提供を受けることを許可する制御信号を検出すれば、動作制御手段は、制御信号受信中は、使用者が専用のコンテンツ情報の配信の提供を受けることができるようにする。
【００３７】
ここで、上記目的を達成する本発明の第１の情報処理端末制御システムは、
近距離無線通信手段を備えた情報処理端末を制御する制御装置と、上記情報処理端末と近距離無線通信を行う所定のエリア内に設置された外部通信機器と、を有し、
上記制御装置は、
上記外部通信機器から上記情報処理端末の動作を制御する制御信号を発信させる制御信号発信手段を備え、
上記制御信号発信手段は、上記制御信号を受信中の上記情報処理端末の動作をその制御信号に応じて制御する上記制御信号を発信する、ことを特徴とする。
【００３８】
本発明の第１の情報処理端末制御システムによれば、上記制御装置は、制御信号発信手段にて、上記外部通信機器から、上記情報処理端末の動作を制御する制御信号を発信させる。次に、上記制御信号発信手段は、上記情報処理端末が上記制御信号を受信中であるときには、その制御信号に応じて上記情報処理端末の動作を制御する。
【００３９】
これにより、上記情報処理端末の使用者に所定のエリア内で制御信号に応じたサービスを提供するための情報処理端末制御システムが得られる。
【００４０】
ここで、上記目的を達成する本発明の第２の情報処理端末制御システムは、
近距離無線通信手段を備えた情報処理端末と、この情報処理端末を制御する制御装置と、上記情報処理端末と近距離無線通信を行う所定のエリア内に設置された外部通信機器と、を有し、
上記制御装置は、
上記外部通信機器から、上記情報処理端末の動作を制御する制御信号を発信させる制御信号発信手段を備え、
上記情報処理端末は、
上記外部通信機器から発信された、上記制御信号を検出する制御信号検出手段と、
上記制御信号検出手段にて検出された制御信号を受信中であるときには、その制御信号に応じて上記情報処理端末自体の動作を制御する動作制御手段と、を備えたことを特徴とする。
【００４１】
本発明の第２の情報処理端末制御システムによれば、上記制御装置は、制御信号発信手段にて、上記外部通信機器から、上記情報処理端末の動作を制御する制御信号を発信させる。
【００４２】
一方、上記情報処理端末は、上記制御信号検出手段にて、上記情報処理端末の動作を制御する制御信号を検出する。そして、上記動作制御手段は、上記制御信号検出手段にて検出された制御信号を上記エリア内で受信中であるときには、その制御信号に応じて情報処理端末自体の動作を制御する。これにより、上記制御信号発信手段は、上記情報処理端末自体が上記制御信号を受信中であるときには、その制御信号に応じて上記情報処理端末自体の動作を制御することになる。
【００４３】
このような本発明の第２の情報処理端末制御システムを採用することにより、特定区域内で情報処理端末自体の動作を所望の状態にして特定区域における所望の環境を提供するシステムが得られる。
【００４４】
ここで、上記目的を達成する本発明の情報処理端末の制御方法は、
近距離無線通信手段を備えた情報処理端末と、この情報処理端末を制御する制御装置と、上記情報処理端末と近距離無線通信を行う所定のエリア内に設置された外部通信機器と、を有する情報処理端末制御システムによる前記情報処理端末の制御方法であって、
上記制御装置は、
上記外部通信機器から、上記情報処理端末の動作を制御する制御信号を発信させる制御信号発信し、
上記情報処理端末は、
上記外部通信機器から発信された、上記制御信号を検出して、
上記制御信号を受信中であるときには、その制御信号に応じて上記情報処理端末自体の動作を制御する、ことを特徴とする。
【００４５】
ここで、上記目的を達成する本発明のプログラムは、
近距離無線通信手段を備えた情報処理端末の動作を制御する制御装置に、
上記情報処理端末と近距離無線通信を行う所定のエリア内に設置された外部通信機器から、上記情報処理端末の動作を制御する制御信号を発信させる制御信号発信手段、を実現するためプログラムであり、
上記制御信号発信手段は、上記制御信号を受信中の上記情報処理端末の動作をその制御信号に応じて制御する制御信号を発信する、ことを特徴とする。
【発明の効果】
【００４６】
本発明によれば、特定区域内で情報処理端末自体の動作を所望の状態にして特定区域における所望の環境を提供する制御装置、制御システム、および制御方法が提供される。また、情報処理端末自体の動作が制御装置により所望の状態に置かれる情報処理端末が提供される。
【発明を実施するための最良の形態】
【００４７】
以下、図面を参照して本発明の実施形態を説明する。ここでは、本発明のプログラムに基づいて動作する制御装置、および情報処理端末制御システムにて制御される情報処理端末について説明する。
【００４８】
なお、以下では、本発明の情報処理端末として、リーダ／ライタを介して、近距離無線通信を行うＲＦＩＤタグを搭載した携帯電話を例に挙げて説明する。但し、これは一例であって、携帯電話に限られず、上記特徴を有する他の携帯型の情報処理端末（例えば、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）など）であってもよい。
【実施例１】
【００４９】
[構成]
図１は、本発明の一実施形態が適用された情報処理端末制御システムの全体構成を示す図である。ここでは、劇場、コンサート会場、学校、病院、市役所、交通機関等の公共性の高い場所のうち、コンサート会場で適用された情報処理端末制御システムについて説明する。この制御システムは、センターサーバ１と、複数のＲＦＩＤリーダ／ライタ２〜５と、使用者の携帯電話６、７とで構成される。本実施例に適用されるコンサート会場９は、説明の便宜上、ＲＦＩＤリーダ／ライタの設置場所に応じて、携帯電話の電源が切断されるエリア、着信音などによる鳴音が規制されるエリア、専用コンテンツにアクセス可能なエリアがあるものとする。なお、センターサーバが本発明にいう制御装置の一例に相当し、ＲＦＩＤリーダ／ライタが本発明にいう外部通信機器に相当する。
【００５０】
以下、センターサーバ、ＲＦＩＤリーダライタ、携帯電話の構成について、まず説明する。
【００５１】
＜センターサーバ＞
図２は、センターサーバの構成図である。このセンターサーバ１は、近距離無線通信手段を備えた携帯電話の動作を制御するものであり、センターサーバ１には、制御部１０、データベース１１が設けられている。この制御部１０は、ＣＰＵ（Ｃｅｎｔｒａｌ  ｐｒｏｃｅｓｓｉｎｇ  Ｕｎｉｔ）であって、センターサーバ１の動作を総合的に制御するものである。この制御部１０には、本発明の一実施形態であるプログラムが組み込まれることによって、制御信号発信部１００、制御信号管理部１０１とが構築される。また、データベース１１には、制御情報ＤＢ（ＤａｔａＢａｓｅ）１１０が備えられている。
【００５２】
この制御信号発信部１００は、携帯電話と近距離無線通信可能であるＲＦＩＤリーダ／ライタ２〜５の動作を制御しており、これらのＲＦＩＤリーダ／ライタ２〜５を介して、携帯電話の動作を制御する制御信号を発信するものである（制御信号発信手段）。また、制御情報ＤＢ１１０は、制御信号の内容を表す情報が記憶されているデータベースであって、制御情報ＤＢ１１０の制御情報ごとに制御信号が対応付けられている。制御信号管理部１０１は、制御情報ＤＢ１１０を管理するものである。制御信号発信部１００では、制御信号管理部１０１で管理している制御情報ＤＢ１１０の制御情報に基づいて、制御信号をＲＦＩＤリーダ／ライタで生成させることにより発信する。
【００５３】
図３は、センターサーバ１の表示画面（不図示）に表示されるＲＦＩＤリーダ／ライタ管理画面の一例を表す図である。このＲＦＩＤリーダ／ライタ管理画面は、制御信号管理部１０１で管理している制御情報ＤＢ１１０の制御情報を表示する。制御情報ＤＢ１１０の制御情報の管理の仕方として、ＲＦＩＤリーダ／ライタごとに管理番号を付して、発着信規制情報と、専用コンテンツアクセス許可情報と、電源切断情報といった制御情報を管理する。
【００５４】
発着信規制情報は、制御信号受信中における携帯電話の発着信を規制する制御情報であって、発着信規制情報が「あり」の場合には、携帯電話の発着信が規制され、一例としてマナーモードに移行する。専用コンテンツアクセス許可情報は、専用コンテンツにアクセスするために必要な情報であって、ＵＲＬ、使用者の識別ＩＤやパスワードなどの情報である。この専用コンテンツアクセス許可情報が「あり」の場合には、使用者は、コンサート会場９内において専用コンテンツにインターネットを介してアクセスすることができる。また、電源切断情報は、携帯電話の電源を切断させるか否かの情報であって、この電源切断情報が「あり」の場合には、携帯電話の電源が切断される。
【００５５】
＜ＲＦＩＤリーダ／ライタ＞
図１に示すＲＦＩＤリーダ／ライタ２〜５は、すべて同じ構成をしているので、以下、ＲＦＩＤリーダ／ライタ２を代表して構成を説明する。
【００５６】
図４は、図１に示すＲＦＩＤリーダ／ライタの構成図である。このＲＦＩＤリーダ／ライタ２は、センターサーバ１と通信回線で結ばれており、センターサーバ１の指示により、制御信号を発信して後述する携帯電話に搭載されたＲＦＩＤタグに制御信号を書き込むものである。
【００５７】
このＲＦＩＤリーダ／ライタ２には、ＲＦＩＤ制御部２１、記憶部２２、ＲＦ（Ｒａｄｉｏ  Ｆｒｅｑｕｅｎｃｙ）部２３、ＲＦＩＤリーダ／ライタ用アンテナ２４が設けられている。
【００５８】
ＲＦＩＤ制御部２１は、ＣＰＵであって、ＲＦＩＤリーダ／ライタ２の動作を総合的に制御するものである。このＲＦＩＤ制御部２１には、プログラムが組み込まれることによって、送信部２１０と受信部２１１とが構築される。記憶部２２は、不揮発性メモリであって、ＲＦＩＤ制御部２１で実行する通信処理プログラム等を記憶しておくものである。
【００５９】
受信部２１１は、センターサーバ１の管理している制御情報に対応付けられた制御信号を受信するものである。送信部２１０は、その制御信号をＲＦ部２３で電波に変調してＲＦＩＤリーダ／ライタ用アンテナ２４から発信させるものである。制御信号の詳細は後述する。
【００６０】
＜携帯電話＞
図５は、図１に示す携帯電話の構成図である。図１に示す携帯電話６、７は同じ構成をしているので、携帯電話６を代表して、以下説明する。この携帯電話６には、表示部６０、操作部６１が設けられている。この表示部６０は、液晶表示用の液晶ＬＣＤ（ＬＣＤ：Ｌｉｑｕｉｄ  ＣｒｙｓｔａｌＤｉｓｐｌａｙ）からなり、携帯電話６のメニュー等を表示するものである。
【００６１】
この操作部６１には、１から０までのテンキー、電源キー、通話キー、クリアキー、＊キー、および＃キーなどの操作キーが設けられている。この操作部６１は、操作キーからの操作を受け付けて後述する携帯電話用制御部６２に処理の命令を出すものである。
【００６２】
この携帯電話１には、携帯電話用制御部６２、記憶部６３、およびＲＦＩＤタグ６４が設けられている。携帯電話用制御部６２は、ＣＰＵであって、この携帯電話６の動作をデータバス６７を介して総合的に制御するものである。
【００６３】
また、携帯電話用制御部６２には、本発明の一実施形態であるプログラムが組み込まれることによって、動作制御部６２１と制御信号検出部６２２とが構築される。制御信号検出部６２２は、ＲＦＩＤリーダ／ライタから発信された制御信号がＲＦＩＤタグに書き込まれたか否かを監視し、ＲＦＩＤタグに書き込まれた制御信号を検出するものである（制御信号検出手段）。動作制御部６２１は、その制御信号をコンサート会場９で受信中であるときには、その制御信号に応じて携帯電話の動作を制御する（動作制御手段）。また、記憶部６３は、不揮発性メモリであって、携帯電話用制御部６２で実行する通信処理プログラム等を記憶しておくものである。
【００６４】
図６は、図５に示すＲＦＩＤタグの内部構成を示す図である。このＲＦＩＤタグ６４には、ＲＦＩＤタグ制御部６４１、記憶部６４２、ＲＦ部６４３、ＲＦＩＤタグ用アンテナ６４４が設けられている。
【００６５】
ＲＦＩＤタグ制御部６４１は、ＣＰＵであって、ＲＦＩＤタグ６４の動作を総合的に制御するものである。このＲＦＩＤタグ制御部６４１には、本発明の一実施形態であるプログラムが組み込まれることによって、通信処理部６４１ａが構築される。通信処理部６４１ａは、ＲＦＩＤリーダ／ライタ２から発信された制御信号の電波をＲＦＩＤタグ用アンテナ６４４を介してＲＦ部６４３で受信後、復調された制御信号の情報を記憶部６４２に書き込む。
【００６６】
図７は、ＲＦＩＤリーダ／ライタから携帯電話内のＲＦＩＤタグの記憶部に書き込まれる制御信号が持つ情報のレコードフォーマットの一例を表す図である。このレコードフォーマットは、レコード種別と、第１の制御情報と、第２の制御情報と、書き込み時刻といった情報で構成されている（図７（ａ））。
【００６７】
レコード種別における‘携帯電話制御信号’は、携帯電話の制御信号を表す種別である。第１の制御情報は、（１）携帯電話の発信規制、（２）電源切断、（３）専用コンテンツアクセス許可（発信規制なし）、（４）専用コンテンツアクセス許可（発信規制あり）といった４種類の制御情報を表すものである。第２の制御情報は、第１の制御情報において、専用コンテンツアクセス許可（発信規制あり）の場合に用いるもので、専用コンテンツアクセス情報が書き込まれる。具体的には、専用コンテンツアクセス先のＵＲＬ、専用コンテンツにアクセスするためのパスワード、使用者の識別ＩＤである。書き込み時刻は、携帯電話のＲＦＩＤタグに制御情報を書き込んだ時刻である。
【００６８】
本実施例では、第１の制御情報が、発着信規制情報の場合は、マナーモードの発信規制がなされる（図７（ｂ））。また、第１の制御情報が、電源切断情報の場合は、携帯電話の電源が切断される（図７（ｃ））。また、第１の制御情報が、専用コンテンツアクセス情報である場合は、発信規制がなされない状態で、専用コンテンツにアクセスすることができる（図７（ｄ））。また、第１の制御情報が、発着信規制情報であり、第２の制御情報が、専用コンテンツアクセス情報である場合は、発信規制がなされ、コンサート会場９のみで専用コンテンツにアクセスすることができる（図７（ｄ））。
【００６９】
なお、上記レコードフォーマットは一例であって、これらの制御情報に限定されるものではない。
【００７０】
また、この携帯電話６には、音声処理部６５、電源６６、無線部６８、および携帯電話用アンテナ６９が設けられている。音声処理部６５は、携帯電話で話す際の音声をマイクに集音したり、携帯電話で話す際に相手の声を発する際のスピーカの音声を処理するものである。また、無線部６８は、携帯電話用アンテナ６９を介して基地局との間で無線通信を行うものであり、電源６６は、携帯電話６に電力を供給するものである。
【００７１】
[動作]
次に本発明の第１の実施例における情報処理端末制御システムの動作について説明する。
【００７２】
図１に示すように、コンサート会場９には、センターサーバ１が設けられており、通信回線１２を介して、ＲＦＩＤリーダ／ライタ２、３、４、５が所定の位置に設置されている。ＲＦＩＤリーダ／ライタ２は、コンサート会場内のホールに設置されており、ＲＦＩＤリーダ／ライタ２からは、電源切断情報を表す電源切断情報を表す制御信号Ｓ１が発信されている。
【００７３】
また、ＲＦＩＤリーダ／ライタ３は、コンサート会場内のチケット情報などを提供するエリアに設置されている。ＲＦＩＤリーダ／ライタ３からは、発信規制情報と専用コンテンツアクセス許可情報を表す制御信号Ｓ２が発信されている。
【００７４】
また、ＲＦＩＤリーダ／ライタ４、５は、コンサート会場内において、マナーモードで携帯電話が使用可能なエリアに設置されている。ＲＦＩＤリーダ／ライタ４、５からは、発信規制情報を表す制御信号Ｓ３、Ｓ４が発信されている。
【００７５】
このような環境下のもとで、携帯電話６の使用者がコンサート会場９に入場し、携帯電話の電源をオンにすると、携帯電話６では、以下説明する処理が行われる。なお、本実施例では、携帯電話をオンの状態で入場した場合も同様である。
【００７６】
図８は、携帯電話の電源がオンされた後に開始される情報処理端末制御システムの処理を表すフローチャートである。
【００７７】
図５に示す制御信号検出部６２２では、図６に示すＲＦＩＤ６４の通信処理部６４１ａを介してＲＦＩＤタグ６４が受信するＲＦＩＤ信号があるか否かを１秒間隔で監視している（ステップＳ１０１）。ここで、ＲＦＩＤ信号を受信すると（ステップＳ１０２：Ｙｅｓ）、そのＲＦＩＤ信号が電源切断を要求する信号か否かが判定される（ステップＳ１０３）。一方、ＲＦＩＤ信号を受信していない場合は（ステップＳ１０２：Ｎｏ）、ステップＳ１０１に戻り、再びＲＦＩＤ信号を監視する。
【００７８】
ここで、電源切断を要求することを表すＲＦＩＤ信号を検出した場合や、ステップＳ１０３の処理のタイミングで、使用者が電源ボタンを押下して電源の切断を行った場合には（ステップＳ１０３：Ｙｅｓ）、ステップＳ１０６に進み、携帯電話６の電源が切断され、この処理ルーチンは終了する。
【００７９】
一方、電源切断を要求することを表すＲＦＩＤ信号を検出しなかった場合には（ステップＳ１０３：Ｎｏ）、ＲＦＩＤ信号が制御信号であるか否かの判定が行われる（ステップＳ１０４）。ここで、制御信号でない場合には、他のアプリケーションの処理等が行われた後、ステップＳ１０１に戻り（ステップＳ１０４：Ｎｏ）、制御信号である場合には（ステップＳ１０４：Ｙｅｓ）、書き込み時刻等の制御情報が図６に示すＲＦＩＤタグ６４の記憶部６４２内のレコードフォーマットに書き込まれ、本発明における携帯電話の動作制御のサブルーチンがコールされる（ステップＳ１０５）。
【００８０】
図９は、携帯電話動作制御のサブルーチンのフローチャートである。
【００８１】
まず、図５に示す動作制御部６２１は、図６に示すＲＦＩＤタグ６４の通信処理部６４１ａに指示を出して、図７に示す記憶部６４２内のレコードフォーマットのうち、最新の書き込み時刻における第１の制御情報を読み出す（ステップＳ２０１）。
【００８２】
第１の制御情報が電源切断情報である場合には（ステップＳ２０２：Ｙｅｓ）、電源切断要求を行うため、このサブルーチンを終了し、図８に示すステップＳ１０６の処理に戻り、携帯電話６の電源が切断される。
【００８３】
一方、第１の制御情報が電源切断情報でない場合には（ステップＳ２０２：Ｎｏ）、第１の制御情報が発着信規制情報であるか否かが判定される（ステップＳ２０４）。
【００８４】
ここで、第１の制御情報が発着信規制情報である場合には（ステップＳ２０４：Ｙｅｓ）、既に携帯電話の発着信規制（マナーモード）へ移行しているか否かが判定され（ステップＳ２０５）、携帯電話の発着信規制（マナーモード）へ移行していない場合には（ステップＳ２０５：Ｎｏ）、動作制御部６２１は、携帯電話６を発着信規制（マナーモード）へ移行させる（ステップＳ２０６）。既に、制御信号受信中であって、携帯電話６の発着信規制（マナーモード）へ移行している場合には（ステップＳ２０５：Ｙｅｓ）、ステップＳ２０７の処理に進む。
【００８５】
また、第１の制御情報が発着信規制情報でない場合には（ステップＳ２０４：Ｎｏ）、携帯電話の発着信規制の処理を行わず、ステップＳ２０７の処理に進む。
【００８６】
ステップＳ２０７では、専用コンテンツアクセス許可情報を表す第２の制御情報が含まれているか否かの判定がなされる。ここで、第２の制御情報が含まれている場合には（ステップＳ２０７：Ｙｅｓ）、ステップＳ２０８の処理に進む。既に、専用コンテンツにアクセス中であれば（ステップＳ２０８：Ｙｅｓ）、ステップＳ２１３の制御信号の内容の読み出しの処理にスキップする。
【００８７】
一方、第２の制御情報が含まれていない場合は（ステップＳ２０７：Ｎｏ）、ステップＳ２１３の制御信号の内容の読み出しの処理にスキップする。また、ステップＳ２０８の処理において、まだ、専用コンテンツにアクセス中でない場合は（ステップＳ２０８：Ｎｏ）、携帯電話６の表示部６０に専用コンテンツにアクセス可能であることを表示する（ステップＳ２０９）。
【００８８】
ここで、携帯電話６の使用者が、専用コンテンツにアクセスしたい場合、操作キーでその旨を選択すると、その操作を受けつけ（ステップＳ２１０：Ｙｅｓ）、自動的にインターネット専用コンテンツ先８のＵＲＬへアクセスされ、パスワード、使用者の識別ＩＤも自動的に認証されて（ステップＳ２１１）、専用コンテンツの第１ページが表示される（ステップＳ２１２）。そして、ステップＳ２１３の処理に移行する。この場合、ユーザは、制御信号を受信中の環境下に置かれているので、引き続き、制御信号を受信しなくなるまで、専用コンテンツにアクセスし続けることができる。
【００８９】
一方、携帯電話６の使用者が、専用コンテンツにアクセスする必要がない場合、操作キーでその旨を選択すると、その操作を受けつけ（ステップＳ２１０：Ｎｏ）、ステップＳ２１３の処理にスキップする。
【００９０】
ステップＳ２１３では、図５に示す動作制御部６２１が、図６に示す通信処理部６４１ａを介して、記憶部６４２の最新の制御信号の書き込み時刻を読み出す。例えば、図１に示すように、携帯電話６の使用者は、ＲＦＩＤリーダ／ライタ２から制御信号Ｓ２を受信中であり、１秒ごとに書き込み時刻が更新されていく。すると、書き込み時刻が前回読み出したときと比較して更新されるため（ステップＳ２１４：Ｙｅｓ）、ステップＳ２０１に戻り、制御信号Ｓ２を受信中は、専用コンテンツにアクセスし続けることができる。
【００９１】
一方、使用者が、コンサート会場９を退場すると、制御信号Ｓ１を受信しなくなるので、書き込み時刻の更新がなされないため、書き込み時刻をクリアし（ステップＳ２１５）、このサブルーチンは終了し、図８に示すステップＳ１０１に戻る。
【００９２】
次に携帯電話７の動作について説明する。携帯電話７の使用者は、ＲＦＩＤリーダ／ライタ３から電源切断情報を受信しているので、図８に示すステップＳ１０３にて、電源切断要求有りの判定がなされ（ステップＳ１０３：Ｙｅｓ）、電源が切断される（ステップＳ１０６）。
【実施例２】
【００９３】
[構成]
次に、本発明の第２の実施例について説明する。本実施例においても、本発明の第１の実施例と同様な箇所については、説明を省略し、実施例１と異なる構成について説明する。
【００９４】
第２の実施例では、特定区域として、交通機関のひとつである電車の車内を想定し、電車内で本発明の情報処理端末制御システムを適用した場合について述べる。本実施例では、優先席およびその付近では、ＲＦＩＤリーダ／ライタ５は、電源切断情報の制御信号Ｓ１を発信し、それ以外の車内では、ＲＦＩＤリーダ／ライタ３、４が発信規制情報および専用コンテンツアクセス許可情報の制御信号Ｓ２を発信するものとする。これは、優先席およびその付近では、電源を切ることが求められており、本システムでは、自動的に電源が切断される。一方、それ以外の車内では、マナーモード下で専用コンテンツをアクセスすることができる。
【００９５】
第２の実施例における情報処理端末制御システムの全体構成を示す図である。
【００９６】
この制御システムでは、電車３０内にセンターサーバ１が設置され、通信回線３１を介して、ＲＦＩＤリーダ／ライタ３、４および５が設置されている。
【００９７】
[動作]
携帯電話６の使用者が、電車３０に乗車して、携帯電話６の電源をオンすると、実施例１で説明した情報処理端末制御システムの処理を表すフローチャート（図８）および、携帯電話動作制御のサブルーチンのフローチャート（図９）が実行される。ここでは、携帯電話６の使用者が優先席３０１にすわり、ＲＦＩＤリーダ／ライタ２から電源切断情報を表す制御信号Ｓ１を受信しているものとする。
【００９８】
この場合、携帯電話側では、電源切断情報を表す制御信号Ｓ１を受信することにより、上述したフローチャートの処理ルーチンにより電源切断要求がなされ、自動的に携帯電話の電源が切断される。したがって、使用者が自ら電源を切断する手間が省ける。
【００９９】
次に、携帯電話７の使用者が優先席３０１から離れた場所にいる場合について説明する。
【０１００】
ここでは、ＲＦＩＤリーダ／ライタ３は、発信規制情報と専用コンテンツアクセス許可情報電源を表す制御信号Ｓ２を発信しているものとする。携帯電話７の使用者が、電車３０に乗車して、優先席３０１から離れた席３０２にすわり、携帯電話７の電源をオンすると、上述した通り、情報処理端末制御システムの処理を表すフローチャート（図８）および、携帯電話動作制御のサブルーチンのフローチャート（図９）が実行される。この場合、携帯電話７の使用者は、図８に示すステップＳ２１０にてインターネット上の専用コンテンツ先８にアクセスすることができる。
【０１０１】
図１１は、電車内で閲覧可能な専用コンテンツの一例を表す図である。携帯電話７の表示部６０には、図１１に示す表示がなされる。これにより、現在乗車中の電車の行き先、電車の運行状況、現在走行中の位置、次の停車駅、および接続情報などといった、使用者が現在いる特定区域での有用な情報を閲覧することができる。
【０１０２】
なお、上述した本実施例では、特定区域として、コンサート会場内、電車の車内といったエリアについて説明したが、コンサート会場内、電車の車内などの交通機関に限られず、劇場、学校、医療機関、学校、店舗、市役所等の公共性の高い場所であってもよい。
【産業上の利用可能性】
【０１０３】
本発明は、上記特定区域において、無線通信手段を備えた情報処理端末に利用することができ、産業上の利用可能性を有する。
【図面の簡単な説明】
【０１０４】
【図１】本発明の一実施形態が適用された情報処理端末制御システムの全体構成を示す図である。
【図２】センターサーバの構成図である。
【図３】センターサーバの表示画面（不図示）に表示されるＲＦＩＤリーダ／ライタ管理画面の一例を表す図である。
【図４】図１に示すＲＦＩＤリーダ／ライタの構成図である。
【図５】図１に示す携帯電話の構成図である。
【図６】図５に示すＲＦＩＤタグの内部構成を示す図である。
【図７】ＲＦＩＤリーダ／ライタから携帯電話内のＲＦＩＤタグの記憶部に書き込まれる制御信号が持つ情報のレコードフォーマットの一例を表す図である。
【図８】携帯電話の電源がオンされた後に開始される情報処理端末制御システムの処理を表すフローチャートである。
【図９】携帯電話動作制御のサブルーチンのフローチャートである。
【図１０】第２の実施例における情報処理端末制御システムの全体構成を示す図である。
【図１１】電車内で閲覧可能な専用コンテンツの一例を表す図である。
【符号の説明】
【０１０５】
１  センターサーバ
２、３、４、５  ＲＦＩＤリーダ／ライタ
６、７  携帯電話
８  専用コンテンツ先
９  コンサート会場
１０  制御部
１１  データベース
１２、３１  通信回線
２１  ＲＦＩＤ制御部
２２  記憶部
２３  ＲＦ部
２４  ＲＦＩＤリーダ／ライタ用アンテナ
３０  電車
６０  表示部
６１  操作部
６２  携帯電話用制御部
６３  記憶部
６４  ＲＦＩＤタグ
６５  音声処理部
６６  電源
６７  データバス
６８  無線部
６９  携帯電話用アンテナ
１００  制御信号発信部
１１０  制御情報ＤＢ
２１０  送信部
２１１  受信部
３０１  優先席
６２１  動作制御部
６２２  制御信号検出部
６４１  ＲＦＩＤタグ制御部
６４１ａ  通信処理部
６４２  記憶部
６４３  ＲＦ部
６４４  ＲＦＩＤタグ用アンテナ
【図１】
2008236318.tif 000003
【図２】
2008236318.tif 000004
【図３】
2008236318.tif 000005
【図４】
2008236318.tif 000006
【図５】
2008236318.tif 000007
【図６】
2008236318.tif 000008
【図７】
2008236318.tif 000009
【図８】
2008236318.tif 000010
【図９】
2008236318.tif 000011
【図１０】
2008236318.tif 000012
【図１１】
2008236318.tif 000013